(57)【要約】【課題】ＡＤＦ・圧板のスキャナ読み取りが可能な複写機等でスキャナ読み取りにより入力されたフォーマット原稿と通常原稿の画像合成を行う機能を実現する際に、ユーザの手間をできるだけ少なくしかつデータの処理を簡単化し機能の向上を図る。【解決手段】ＡＤＦ・圧板読み取りを併用するフォーマット合成画像出力処理として一連の処理手順により実行する。ＡＤＦが使用できない厚紙のフォーマット原稿（ａ）を圧板で入力した時にも、通常の入力原稿（ｂ）をＡＤＦの原稿台にセットしておけば、ＡＤＦにより入力し、一連の動作として合成画像（ｃ）を生成し、フォーマット合成画像出力を行う。また、ＡＤＦで原稿の上下が反転する場合には、合成すべき一方の画像に１８０度の像回転処理を施すことにより不正を正す。【選択図】    図９
2004336410.tif 000002
【特許請求の範囲】
【請求項１】
ＡＤＦ、圧板の各読取り動作が可能な原稿読み取り手段と、読み取った原稿画像を基に合成画像を生成する画像合成手段と、単独原稿画像又は合成画像を画像形成用データとして出力する手段と、合成画像形成動作モードの設定手段と、上記各手段の動作を制御する制御手段を有する画像形成装置であって、前記制御手段は、前記原稿読み取り手段に対しＡＤＦ、圧板併用の読取り動作を行わせるための条件を付与して合成画像形成動作モードが設定された時に、前記原稿読み取り手段によりＡＤＦ、圧板それぞれの読取り動作を行わせ、読取った原稿画像同士を前記画像合成手段により合成させ、合成画像を画像形成用データとして出力させる制御機能を備えたことを特徴とする画像形成装置。
【請求項２】
請求項１に記載された画像形成装置において、ＡＤＦ、圧板の各読取り動作により読取った画像に基づいて生成される画像同士を相対的に１８０度回転させる手段を備えたことを特徴とする画像形成装置。
【請求項３】
原稿読み取り手段と、読み取った原稿画像の一部又は全部を基に任意の変倍・繰り返し画像処理を施した画像を生成する繰り返し画像生成手段と、読み取った原稿画像を基に合成画像を生成する画像合成手段と、単独原稿画像又は合成画像を画像形成用データとして出力する手段と、合成画像形成動作モードの設定手段と、上記各手段の動作を制御する制御手段を有する画像形成装置であって、合成画像形成動作モードの前記設定手段は、変倍率を指定した繰り返し画像を合成画像として設定する機能を備え、前記制御手段は、変倍率を指定した繰り返し画像を合成する合成画像形成動作モードが設定された時に、該設定条件に従って前記繰り返し画像生成手段により画像を生成させ、生成された繰り返し画像を前記画像合成手段により合成させ、合成画像を画像形成用データとして出力させる制御機能を備えたことを特徴とする画像形成装置。
【発明の詳細な説明】
【０００１】
【発明の属する技術分野】
本発明は、スキャナ等の原稿読取り装置により入力した原稿画像を対象に合成画像を形成する機能を有する画像形成装置（例えば、複写機や複写機をベースにした多機能機、プリンタ等）に関し、より特定すると、例えば通常の原稿画像に定型（フォーマット）画像を合成するような場合に適した、該画像合成処理における機能の向上を図るようにした画像形成装置に関する。
【０００２】
【従来の技術】
従来から、デジタル複写機等の画像形成装置では、スキャナ等の原稿読取り装置により入力した原稿画像に対し各種の編集操作を行って出力する機能を備えており、その機能の一つとして、画像合成機能（一方の入力画像を背景として合成したり、或いは通常の原稿画像にフォーマット画像を合成するといった形態をとる）が知られている。
こうした従来技術として、例えば、下記［特許文献１］では、スキャナ等の画像入力手段から入力される原稿画像（入力原稿画像）に対し背景として合成されるパターンを記憶手段に複数記憶させ、複数の中から指示に従って選択されたパターンを記憶手段から読み出し、そのパターンを背景にスキャナ等による入力原稿画像を合成し、合成画像を出力（用紙上に画像形成）するようにしたものが提案されている。また、この例では、合成する背景パターンを記憶手段に用意する方法として、複写原稿入力に用いるスキャナを使用して背景パターンを原稿から読み取り、登録するような形態で実施し得ることが示されている。
【０００３】
【特許文献１】
特開平５−３０８５０８号公報
【０００４】
【発明が解決しようとする課題】
しかしながら、上記［特許文献１］において、合成すべき背景パターンを原稿から取得する方法を用いる場合には、パターン原稿のスキャナ読み取り、記憶手段への登録という手順を行わせ、その後、登録したパターンを選択するといった複数の手順を行う必要があり、データの処理やユーザ操作を複雑化する。
また、上記従来例では、課題としてとり上げていないが、この従来例と同様のスキャナ読み取りにより合成すべき背景パターンやフォーマット（文書の「フォーマット」も背景パターンと同様に合成パターン画像として扱われる）を入力する際には、次のような問題が起きる。それは、フォーマット（背景パターン）原稿が、例えば厚紙など特殊な形状の原稿である場合に、スキャナ入力にＡＤＦ（自動原稿給送装置）方式を使用することができず、圧板方式（原稿台のコンタクトガラスに原稿をマニュアルでセットする）を使用せざるを得ないということになるが、このような場合に、従来では入力原稿画像の方も同じ圧板による入力方式を用いるという仕様になっているので、ＡＤＦ方式を用いることができずに、複数枚原稿に対しても読取るたびに原稿のセット・リセットをマニュアルで行う必要があり、手間が掛かってしまう。
本発明は、スキャナ読み取りにより合成すべき背景パターンやフォーマットを入力し、スキャナ入力された原稿画像との画像合成を行って出力する機能を有する画像形成装置における従来技術の上記した問題点に鑑みてなされたもので、その目的は、合成する一方の原稿画像を圧板方式により読取る場合にも、ユーザの手間をできるだけ少なくするとともにデータの処理を簡単化して画像合成処理における機能の向上を図るようにすることにある。
【０００５】
また、合成すべき背景パターンをスキャナ読み取りにより入力する場合に、従来においては、背景に用いるパターン画像全体を原稿として用意することを前提としている。従って、背景パターンとして、例えば、会社内で作成する印刷物の全てに会社のロゴ等、固有の名称や図柄などの繰り返しパターンを用いるような場合にも（図１３、図１５の合成出力画像、参照）、合成画像を作成する度に繰り返し画像パターンの原稿を予め用意しなければならない。従来から複写機の編集機能の一つに“イメージリピート”として、原稿画像の繰り返しパターンを一枚の画像に編集して、コピー出力する機能があり、原稿の作成に利用することが可能であるが、背景パターン原稿は、その後不用になってしまい、このような操作を行うユーザの手間を考えると、無駄が多過ぎる。
本発明は、スキャナ読み取りにより合成すべき背景パターンやフォーマットを入力し、スキャナ入力された原稿画像との画像合成を行って出力する機能を有する画像形成装置において、繰り返し画像パターンを画像合成する際の上記した従来技術の問題点に鑑みてなされたもので、合成する一方の繰り返し画像パターンの入力にあたって、ユーザの手間をできるだけ少なくし、無駄な出力を回避するとともにデータの処理を簡単化し、画像合成処理における機能の向上を図るようにすることを更なる目的とする。
【０００６】
【課題を解決するための手段】
請求項１の発明は、ＡＤＦ、圧板の各読取り動作が可能な原稿読み取り手段と、読み取った原稿画像を基に合成画像を生成する画像合成手段と、単独原稿画像又は合成画像を画像形成用データとして出力する手段と、合成画像形成動作モードの設定手段と、上記各手段の動作を制御する制御手段を有する画像形成装置であって、前記制御手段は、前記原稿読み取り手段に対しＡＤＦ、圧板併用の読取り動作を行わせるための条件を付与して合成画像形成動作モードが設定された時に、前記原稿読み取り手段によりＡＤＦ、圧板それぞれの読取り動作を行わせ、読取った原稿画像同士を前記画像合成手段により合成させ、合成画像を画像形成用データとして出力させる制御機能を備えたことを特徴とする画像形成装置である。
請求項２の発明は、請求項１に記載された画像形成装置において、ＡＤＦ、圧板の各読取り動作により読取った画像に基づいて生成される画像同士を相対的に１８０度回転させる手段を備えたことを特徴とするものである。
【０００７】
請求項３の発明は、原稿読み取り手段と、読み取った原稿画像の一部又は全部を基に任意の変倍・繰り返し画像処理を施した画像を生成する繰り返し画像生成手段と、読み取った原稿画像を基に合成画像を生成する画像合成手段と、単独原稿画像又は合成画像を画像形成用データとして出力する手段と、合成画像形成動作モードの設定手段と、上記各手段の動作を制御する制御手段を有する画像形成装置であって、合成画像形成動作モードの前記設定手段は、変倍率を指定した繰り返し画像を合成画像として設定する機能を備え、前記制御手段は、変倍率を指定した繰り返し画像を合成する合成画像形成動作モードが設定された時に、該設定条件に従って前記繰り返し画像生成手段により画像を生成させ、生成された繰り返し画像を前記画像合成手段により合成させ、合成画像を画像形成用データとして出力させる制御機能を備えたことを特徴とする画像形成装置である。
【０００８】
【発明の実施の形態】
本発明の画像形成装置に係わる実施形態は、ＡＤＦ、圧板の各読取り動作が可能な原稿読み取り手段により入力された画像に基づき合成画像を形成するもので、通常の入力原稿画像に定型（フォーマット）画像を合成する場合に適用可能な形態で画像合成機能の実現を図るものである。
ここで、実現する第１の画像合成機能は、原稿読み取り手段に対しＡＤＦ、圧板併用の読取り動作を行わせ、読取った原稿画像同士を前記画像合成手段により合成させ、合成画像を画像形成用データとして出力し、プリンタ等の出力手段により画像出力を行うような動作モードによる。こうした合成画像形成動作モードを実現するための基本的な構成要素として、ＡＤＦ、圧板の各読取り動作が可能な原稿読み取り手段と、画像合成処理に必要な要素として入力原稿画像の記憶部、合成処理部を有する画像合成手段と、合成画像を出力する画像出力手段と、ＡＤＦ、圧板併用の読取り画像に基づく合成画像を出力させる一連の動作を行わせるために上記各手段を制御する手段を備える。
また、第２の画像合成機能は、原稿読み取り手段により入力された原稿画像の一部又は全部に基づいて変倍率を指定した繰り返し画像を合成用の画像として生成し、これを通常の入力原稿画像に合成し作成した合成画像を画像形成用データとして出力し、プリンタ等の出力手段により画像出力を行うような動作モードによる。こうした合成画像形成動作モードを実現するための基本的な構成要素として、原稿読み取り手段と、読み取った原稿画像の一部又は全部を基に任意の変倍・繰り返し画像処理を施した画像を生成する手段と、読み取った原稿画像を基に合成画像を生成する画像合成手段と、合成画像を出力する画像出力手段と、読取り画像に基づき生成された繰り返し画像の合成画像を出力させる一連の動作を行わせるために上記各手段を制御する手段を備える。
【０００９】
ここでは、本発明に係わる画像形成装置の実施形態として複写機を例示する。本実施形態の複写機は、一般的に普及しているデジタル複写機をベースにした下記に示す装置構成によって、ＡＤＦ、圧板併用のスキャナ入力による原稿画像に基づいて合成画像を作成・出力する上記第１の画像合成機能、又はスキャナ入力による原稿画像に基づいて生成した繰り返し画像を用いる合成画像を作成・出力する上記第２の画像合成機能を実現する。
まず、上記した第１、第２の各画像合成機能を実現し得るデジタル複写機の装置構成及びその動作及び機能の概略について、添付する図面を参照して説明する。
図１は、本発明の画像形成装置の実施形態としての複写機の全体構成を示す概略図である。
図１を参照し、図示の複写機により行われる原稿のコピー処理の動作フローに沿って、本機の装置構成と、原稿の読み取り、画像書き込みという本機の基本的な動作に関して説明する。
先ず、原稿読み取りであるが、本機ではＡＤＦ（自動原稿給送装置）と、いわゆる圧板による読み取り動作の双方を行うことを可能にしている。
ＡＤＦの動作では、読み取り原稿束がＡＤＦ１の原稿台２に原稿の画像面を上にして置かれ、オペレータにより操作部（図２参照）上のスタート（プリント）キー３４が押下されると、一番下の原稿から給送ローラ３、給送ベルト４によって順次コンタクトガラス６上の所定の読み取り位置に給送されて停止する。その後、図１の読み取りユニット（スキャナ）５０によってコンタクトガラス６上の原稿の画像が読み取られ、その読み取りが終了した原稿は、給送ベルト４及び排送ローラ５によって排出される。さらに、原稿セット検知センサ７にて原稿台２に次の原稿が有ることを検知すると、その原稿は前の原稿と同様にコンタクトガラス６上に給送され、読み取り動作を連続して行うことを可能にする。ＡＤＦの原稿給送機構を構成する給送ローラ３、給送ベルト４、排送ローラ５は図示しない搬送モータ（図示せず）によって駆動される。
さらに、ＡＤＦを使用しない、圧板により読み取るモードの動作では、ＡＤＦ１をヒンジにより開放自在にすることを可能にして、ＡＤＦ１を開放した後、コンタクトガラス６上にブック（ＡＤＦを使用できない厚紙など）原稿を載せ、圧板により原稿を押し付けて、読み取りユニット（スキャナ）５０にスキャン読み取り動作をさせて、原稿読み取りを行う。なお、後記にて詳述する画像合成機能においては、合成画像として用いる一方の定型（フォーマット）画像の読み取りを圧板により行う。
【００１０】
書き込みユニット５７では、読み取りユニット５０で読み込まれた画像データに基づいて書き込み用に変換・処理されたデータによりレーザ出力ユニット５８のレーザ出力が変調され、感光体１５にレーザ書き込みが行われる。書き込みにより形成された感光体１５上の静電潜像は現像ユニット１７を通過することによって、トナー像を形成する。
また、第１給紙トレイ８、第２給紙トレイ９、第３給紙トレイ１０に積載された転写紙は、各々第１給紙装置１１、第２給紙装置１２、第３給紙装置１３によって給紙され、縦搬送ユニット１４によって感光体１５に接触する位置まで搬送された後、感光体１５の回転と等速で搬送ベルト１６によって搬送されながら、紙上に感光体１５上のトナー画像が転写される。その後、定着ユニット１７にてトナー画像を定着させ、排紙ユニット１８によって機外の排紙トレイ１９に排出される。
転写紙の両面に画像を作像する場合に、両面給紙ユニット１１１が使用される。両面モードでは、各給紙トレイ８〜１０から給紙され上記の動作に従い作像がなされるが、作像後に転写紙を排紙トレイ１９側に導かないで、経路切り替えの為の両面分岐爪１１２を上側にセットすることで、一旦両面給紙ユニット１１１にストックする。その後、両面給紙ユニット１１１にストックされた転写紙は再び感光体１５に作像されたトナー画像を転写する。そのために、両面給紙ユニット１１１から再給紙される。両面転写後、排紙工程では経路切り替えの為の両面分岐爪１１２を下側にセットすることで転写紙を排紙トレイ１９に導く。
【００１１】
図２は、図１に示す複写機におけるユーザが指令入力を行う操作部の概略図で、図３は、図２中のＬＣＤ表示部の概略図である。
操作部には、図２に示すように、ＬＣＤ表示部（ＬＣＤタッチパネル）３１、テンキー３２、初期設定キー３６、モードクリアキー３５、プリントキー３４、クリア／ストップキー３３が設けられている。ＬＣＤタッチパネル３１は表示機能と操作キーの機能を持ち、図３に示すように、各モード機能キーの表示、セット数、コピー部数及び画像形成装置の状態を示すメッセージなどが表示されると同時に、タッチパネル方式により各画像形成モードを設定、解除する場合に操作するモードキーが配置されている。オペレータが、ＬＣＤタッチパネル３１に表示されているいずれかの機能キーにタッチすることにより、その機能キーの枠内に表示されている機能が選択され、その白黒表示が反転する。また、機能の詳細を指定しなければならない場合（例えば変倍であれば変倍値等）は、その機能キーにタッチすることにより、詳細な機能の設定画面が表示される。ＬＣＤタッチパネル３１は、ドット表示器を使用しているため、その時の最適な表示をグラフィカルに行なうことが可能である。
図３において、機能キーの一つとして設けられている編集キー３１０は、入力した原稿画像に対し各種の編集操作を行って出力する機能を利用する場合にその設定を行うためのキーで、編集機能の一つとして、画像合成機能を有し、このキーの操作により詳細な機能設定用の表示画面（後記する「フォーマット合成画像出力」の設定）を導く。
【００１２】
図４は、本実施形態の複写機に係わる画像形成動作の制御を司るメインコントローラ（ＭＣＵ）２０を中心とする制御装置の概略ブロック図を示すものである。ＭＣＵ２０は複写機全体を制御する。ＭＣＵ２０には、ユーザに対する表示及びユーザの指令（キー入力）による機能（モード）設定に応じた入力制御を行う操作部３０と、スキャナの制御、原稿画像を画像メモリに書き込む制御及び画像メモリからの画像データをもとに作像の制御等を行う画像処理ユニット（ＩＰＵ）４９、原稿の給排送動作を行なう自動原稿給送装置（ＡＤＦ）１等の分散制御装置が接続されている。各分散制御装置とＭＣＵ２０は必要に応じて機械の状態、動作指令のやりとりを行う。
また、ＭＣＵ２０は、メインモータ２５及び各種クラッチ２１〜２４の駆動を制御することにより書き込みユニット５７を含む画像形成部に必要な動作を行わせる。即ち、メインモータ２５は、感光体ドラム１５、搬送ベルト１６、定着ユニット１７、排紙ユニット１８、現像ユニット２７を駆動し、また中間クラッチ２１を介し縦搬送ユニット１４を駆動し、さらに給紙クラッチ２２〜２４を介して各給紙装置１１〜１３を駆動する。
【００１３】
次に、原稿画像から読み取られた画像の潜像が記録面上に形成されるまでの本実施形態の装置による動作を、図１を参照して、より詳細に説明する。なお、潜像とは感光体面上に画像を光情報に変換して照射することにより生じる電位分布である。ここでは、読み取りユニット５０と書き込みユニット５７での動作を中心に動作を説明する。
本実施形態の読み取りユニット５０は、上記したように、ＡＤＦ読み取りのほか、圧板（ブック）原稿読み取りも可能とし、いずれの場合もコンタクトガラス６に載置した状態で原稿を読み取るスキャナ（光学走査系）を備える。スキャナは、露光ランプ５１、第１ミラー５２、結像レンズ５３、ＣＣＤイメージセンサ５４等を構成要素とし、露光ランプ５１及び第１ミラー５２は図示しない第１キヤリッジ上に固定され、第２ミラー５５及び第３ミラー５６は図示しない第２キヤリッジ上に固定され、原稿像を読み取る時には、光路長が変わらないように、第１キャリッジ第２キャリッジとを２対１の相対速度で原稿面に沿い走行させる（副走査させる）機構を用いる。この動作は、図示しないスキャナ駆動モータの駆動により行われる。
光学走査系を介して伝達される原稿画像は、ＣＣＤイメージセンサ５４によって読み取られ、電気的な画像信号として出力される。このときに、光学走査系の露光ランプ５１によって原稿の画像面を照明し、その画像面からの反射光像を第１ミラー５２，第２ミラー５５，第３ミラー５６，レンズ５３を介してＣＣＤイメージセンサ５４の受光面に結像させ、画像データに変換するが、レンズ５３及びＣＣＤイメージセンサ５４を図１の左右方向に移動させることにより、画像倍率を変えることが可能である。すなわち、指定された倍率に対応してレンズ５３及びＣＣＤイメージセンサ５４の左右方向の位置が設定される。
なお、ＡＤＦ、圧板の各読み取り動作時のスキャナへの原稿のセット方向と出力画像の方向の関係について言及すると、原稿の上下方向を副走査方向に一致させて原稿上端部で位置決めを行うようにセットすると、コンタクトガラス６上の入力原稿が、ＡＤＦ時にはＡＤＦの機構上、圧板時に対し上下逆にセットされてしまう。これは、ＡＤＦ、圧板併用の読取り動作を行わせ、入力された原稿画像同士を画像合成する場合に問題となり、この点については後述する改良が施される。
【００１４】
書き込みユニット５７はレーザ出力ユニット５８、結像レンズ５９、ミラー６０で構成される。レーザ出力ユニット５８の内部には、レーザ光源であるレーザダイオード及びモータによって高速で定速回転する回転多面鏡（ポリゴンミラー）が備えられている。レーザ出力ユニット５８より出射されるレーザ光は、定速回転するポリゴンミラーで偏向され、結像レンズ５９を通り、ミラー６０で折り返され、感光体１５面上に集光結像する。
偏向されたレーザ光は感光体１５が回転する方向と直交する方向（主走査方向）に走査され感光体１５面を露光し、後述する画像処理ユニット４９のセレクタ６４より出力された画像信号の各ラインの記録を行う。
感光体１５の回転速度と記録密度に対応した所定の周期で主走査を繰り返すことによって、感光体１５面上に画像（静電潜像）が形成される。
図示しないが感光体１５の一端近傍にビームセンサが配置され、上述のように、書き込みユニット５７から出力され画像作像系の感光体１５に照射される走査レーザビームがビームセンサを照射し、ビームセンサからのビーム検知信号に基づき主走査同期信号が発生される。この主走査同期信号をもとに主走査方向の画像記録開始タイミングの制御、及び後述する画像信号の入出力を行うための制御信号の生成を行う。
【００１５】
次に、読み取りユニット５０で読み取った画像データから、書き込みユニット５７に入力する画像データを生成するまでの本例における画像処理ユニット（ＩＰＵ）４９を中心にした画像データの処理について、詳細に説明する。
図５は、図４に示すＩＰＵ４９の回路構成を示す概略ブロック図である。
原稿画像の読み取り時には、原稿面からの反射光像（画像）はＣＣＤイメージセンサ５４によって画像データに変換され、さらにＡ／Ｄコンバータ６１によってアナログ値からデジタル値に変換される。デジタル値に変換された画像データは、シェーディング補正部６２によってシェーディング補正がなされた後、画像処理部６３によってＭＴＦ補正及びγ補正等の画像処理がなされる。
セレクタ６４は、画像データの送り先を切り替えるもので、切り替えによって、変倍部７１又はメモリコントローラ６５のいずれかを画像データの送り先とする。変倍部７１を経由した画像データは、指定された変倍率に合わせて拡大又は縮小され、書き込みユニット５７に送られる。メモリコントローラ６５とセレクタ６４との間は、双方向に画像データを入出力可能な構成となっている。
ＣＰＵ６８は中央処理装置であり、メモリコントローラ６５を介して画像メモリ６６に対する画像データの書き込み及び読み出しを行なったり、読み取りユニット５０及び書き込みユニット５７の制御を行なう。ＲＯＭ６９は読み出し専用のメモリであり、ＣＰＵ６８を動作させるための制御プログラムを含む各種固定データを記憶している。ＲＡＭ７０は読み書き可能なメモリであり、各種データを一時的に記憶する。
【００１６】
印字ユニット７４は、ＣＰＵバスに接続され、ページ印字用のキャラクタ（文字）イメージデータ、任意のスタンプ用イメージデータ等の印字イメージデータを発生する。この印字ユニット７４で発生された印字イメージデータは、印字合成部７２，７３に入力され、画像処理部６３からの画像データ又はメモリコントローラ６５からの画像データに任意の印字イメージデータを合成することができる。
なお、図５には図示していないが、画像処理ユニット４９には、読み取りユニット５０から入力される画像データ以外に、外部から供給される画像データ（例えばパーソナルコンピュータ等のデータ処理装置から出力される画像データ）も処理できるように、複数の画像データの入出力を選択するための回路も備えている。しかし、以後は読み取りユニット５０から入力される画像データに対する動作（コピー動作）に関してのみ説明する。
ここで、図６を用いて、セレクタ６４における１ページ分の画像データ及び制御信号について説明する。／ＦＧＡＴＥ（「／」はローアクティブを示す）はフレームゲート信号であり、１ページの画像データにおける副走査方向の有効期間を表わしている。／ＬＳＹＮＣは１ライン毎の主走査同期信号であり、この信号が立ち上がった後の所定クロックで画像データが有効となる。／ＬＧＡＴＥはラインゲート信号であり、画像データの主走査方向の有効期間を示す。
これらの信号は、画素クロック信号ＶＣＬＫに同期しており、その１周期に対して１画素のデータが送られてくる。画像処理ユニット（ＩＰＵ）４９は、画像データの入力及び出力に対してそれぞれ別個の／ＦＧＡＴＥ，／ＬＳＹＮＣ，／ＬＧＡＴＥ，ＶＣＬＫの発生回路を有しており、読み取った画像データの直接出力を行なう場合などの位相調整等を行なうことより、様々な画像データの入出力の組み合わせが実現可能になる。
【００１７】
図７は、図５におけるメモリコントローラ６５及び画像メモリ６６の構成例を示したブロック図である。なお、この図ではアドレスバスの図示を省略している。
メモリコントローラ６５は、入力データセレクタ１０１、画像合成部１０２、１次圧縮／伸長部１０３、出力データセレクタ１０４、２次圧縮／伸長部１０５等からなる。それらへの制御データの設定はＣＰＵ６８（図５参照）より行なわれる。
画像メモリ６６は、１次記憶装置１０６及び２次記憶装置１０７からなる。１次記憶装置１０６には、画像データ入力時のメモリの指定した領域へのデータ書き込み、または画像データ出力時のメモリの指定した領域からのデータ読み出しが、画像データ入力又は出力時に要求されるデータ転送速度に略同期して行えるように、例えばＤＲＡＭ等の高速アクセスが可能なメモリを使用する。また、１次記憶装置１０６は、処理を行なう画像データの大きさにより、複数のエリアに分割して画像データの入出力を同時に実行可能な回路（メモリコントローラ６５とのインタフェース部）を有している。
２次記憶装置１０７は、読み取りユニット５０側から入力される画像データを順次蓄積して、これらの画像データの合成、ソーティング、並べ換え等の処理を行なうためのものである。
上記した画像メモリ６６の構成において、１次記憶装置１０６，２次記憶装置１０７とも高速アクセス可能な記憶媒体（メモリ）を使用すれば、その各記憶装置の区別なくデータの処理を行なえ、制御も比較的簡単になるが、ＤＲＡＭ等のメモリは高価なため、２次記憶装置１０７にはアクセス速度はあまり速くないが、安価で大容量の記憶媒体（例えばハードディスク装置や光磁気ディスク装置）を使用し、１次記憶装置１０６を介して入出力データの処理を行なうようにしている。このような構成により、大量の画像データの入出力、保存、加工等の処理が可能なデジタル複写機を安価で且つ比較的簡単な構成で実現することが可能になる。
【００１８】
ここで、上記画像メモリコントローラ６５の動作例を説明する。
［１］画像入力（画像メモリ６６への保存）動作
入力データセレクタ１０１は、読み取りユニット５０から画像処理ユニット４９の各部を介して入力される画像データ（電気信号として入力される原稿画像）のうち、画像メモリ６６（１次記憶装置１０６）への書き込みを行なう画像データの選択を行なう。
入力データセレクタ１０１によって選択された画像データは画像合成部１０２に供給され、そこで既に画像メモリ６６に記憶されている画像データと合成された後、１次圧縮／伸長部１０３によって圧縮（可変長圧縮）処理が行なわれ、１次記憶装置１０６に書き込まれる。１次記憶装置１０６に書き込まれた画像データは、必要に応じて２次圧縮／伸長部１０５によって更に圧縮処理が行なわれた後、２次記憶装置１０７に書き込まれて保存される。
［２］画像出力（画像メモリ６６からの読み出し）動作
出力対象画像データとして指定された画像データが１次記憶装置１０６に記憶されている場合は、その画像データが読み出された後、１次圧縮／伸長部１０３によって伸長処理が行なわれ、伸長後の画像データ、もしくはその画像データと読み取りユニット５０から入力される画像データとの合成処理が行なわれた後の画像データが出力データセレクタ１０４により選択され、出力される。
【００１９】
上記画像メモリコントローラ６５における画像合成部１０２は、１次記憶装置１０６から入力される画像データと、読み取りユニット５０から入力される画像データとの合成（画像データの位相調整機能を有する）、合成された画像データの出力先の選択（画像データの出力、１次記憶装置１０６へのライトバック、両方の出力先への同時出力等）等の処理を行なう（後記する画像合成機能、「実施形態１〜５」の説明、参照）。
また、画像合成部１０２には、合成の前段において、原稿画像の一部又は全部に基づいて変倍率を指定した繰り返し（リピート）画像を合成用の画像として生成するための処理手段を備える（後記「実施形態４，５」の説明、参照）。なお、この繰り返し画像を生成する処理手段は、従来の複写機において採用されている既存の、イメージリピート処理を転用することにより実施することが可能である。
さらに、画像合成部１０２には、画像合成処理の過程で合成用の画像に対し像回転処理（ここで必要な機能としては１８０度の像回転）を行う手段を備える（後記「実施形態２，３」の説明、参照）。
なお、画像メモリコントローラ６５の動作において、出力対象画像データとして指定された画像データが、１次記憶装置１０６にではなく、２次記憶装置１０７に記憶されている場合は、その画像データが読み出された後、２次圧縮／伸長部１０５で伸長処理が行なわれ、その伸長後の画像データが一旦１次記憶装置１０６に書き込まれ、以後上述と同様の出力動作が行なわれる。
【００２０】
次に、上記したデジタル複写機に装備される画像合成機能に係わる実施形態について詳細に説明する。なお、次に示す画像合成機能に係わる実施形態の中「実施形態１〜３」は、ＡＤＦ、圧板併用のスキャナ入力による原稿画像に基づいて合成画像を作成・出力する上記第１の画像合成機能に係わるもの、また「実施形態４，５」は、スキャナ入力による原稿画像に基づいて生成した繰り返し画像を用いる合成画像を作成・出力する上記第２の画像合成機能に係わるものを示す。
「実施形態１」
本実施形態の画像合成機能は、ＡＤＦ、圧板併用のスキャナ入力による原稿画像に基づいて合成画像を作成・出力する機能である。
図９は、この実施形態の画像合成機能の説明図であり、ここでは、通常の入力原稿画像（ｂ）に定型（フォーマット）原稿画像（ａ）を合成することにより、合成画像（ｃ）を画像形成出力結果として得ることを示し、また、フォーマット原稿画像（ａ）を圧板により入力し、通常の入力原稿画像（ｂ）をＡＤＦにより入力するという形態でフォーマット合成画像出力を実施することを示している。図８は、本実施形態のフォーマット合成画像出力の処理手順を示すフローチャートである。
なお、この処理手順は、操作部３０のユーザ設定画面（図３の編集キー３１０に対する入力操作など）でフォーマット合成画像出力が指示されたときに、上記デジタル複写機の制御部（メインコントローラ２０及び画像処理ユニット４９）において、例えば、制御部のコンピュータに搭載させたこの処理手順を実行するためのプログラムを起動することにより実施し得る。
【００２１】
図８のフローチャートに従って、処理の手順を説明すると、このルーチンは、ユーザ操作によりフォーマット合成画像の出力要求があった時にスタートし、先ず、プリントキー３４が押下されたか否かをチェックし、押下が確認された時に読み取りユニット５０による原稿画像の読み取り処理に移行する。
読み取り処理の始めに、ＡＤＦ、圧板にそれぞれ原稿がセットされているか否かをチェックすることにより、ＡＤＦ、圧板併用の読み取り動作を行うことを確認する（Ｓ１０２）。
ＡＤＦ、圧板を併用する読み取り動作を行うことを確認した場合、先ず圧板上にある原稿画像の読み取り処理を行い、フォーマット原稿画像（図９（ａ）参照）として、画像メモリ６６に記憶する（Ｓ１０３）。次いで、ＡＤＦにある原稿画像を入力原稿画像（図９（ｂ）参照）として読み取り処理を行う（Ｓ１０４）。
その後、画像メモリコントローラ６５の画像合成部１０２で、画像メモリ６６に記憶されたフォーマット原稿画像と入力原稿画像のフォーマット合成処理を行い、合成画像（図９（ｃ）参照）を得る（Ｓ１０５）。ここでは、得られた合成画像を一時的に画像メモリ６６に記憶する。
次に、一時的に画像メモリ６６に記憶されたフォーマット合成処理された画像を書き込みユニット５７に出力し、フォーマット合成画像を転写紙上に形成させる合成画像出力処理を行い（Ｓ１０６）、この処理フローを終える。
上記の処理フローに示すように、フォーマット原稿画像を圧板により入力し、通常の入力原稿画像をＡＤＦにより入力するという形態でフォーマット合成画像出力を実施することにより、ＡＤＦにセットされた複数原稿に対して同一のフォーマット原稿画像を用いて合成画像を出力するという動作を行わせる場合にも、一度の圧板入力によるフォーマット原稿画像を記憶部に保持しておけば、合成画像を出力するたびにフォーマット原稿を読み取り入力する必要がなく、ＡＤＦのメリットも生かした効率的かつ迅速な合成画像出力を可能にする。
【００２２】
なお、図８のフローチャートにおいては、フォーマット合成画像出力の処理をＡＤＦ、圧板併用の動作モード以外のモードによる場合にも対応可能としているので、その処理手順を以下に説明する。
フローチャートのステップＳ１０２におけるＡＤＦ、圧板併用のチェックで、その確認ができない場合に、次に圧板或いはＡＤＦ上ののどちらに原稿があるかによって、処理を分岐する。
先ず、圧板上に原稿がある場合には（Ｓ１１１−ＹＥＳ）、その原稿画像の読み取り処理を行い、フォーマット原稿画像として、画像メモリ６６に記憶する（Ｓ１１２）。次いで、入力原稿を圧板上にフォーマット原稿と同様にセットし、その原稿を入力原稿画像として読み取り処理を行う（Ｓ１１３）。
また、ＡＤＦ上に原稿がある場合には（Ｓ１２１−ＹＥＳ）、その原稿画像の読み取り処理を行い、フォーマット原稿画像として、画像メモリ６６に記憶する（Ｓ１２２）。次いで、入力原稿をＡＤＦ上にフォーマット原稿と同様にセットし、その原稿を入力原稿画像として読み取り処理を行う（Ｓ１２３）。
上記のように圧板或いはＡＤＦのみを使用する読み取りを行った後、いずれの動作モードにおいても、フォーマット合成処理及び合成画像出力処理は、ＡＤＦ、圧板併用の動作モードにおけると同様にステップＳ１０５，Ｓ１０６に従って行い、この処理フローを終える。
【００２３】
「実施形態２」
本実施形態は、上記「実施形態１」のフォーマット合成画像出力処理における改良に係わる。
上記「実施形態１」のように、フォーマット原稿画像（図９（ａ）参照）を圧板により入力し、通常の入力原稿画像（図９（ｂ）参照）をＡＤＦにより入力するという形態でフォーマット合成画像出力されたものが、本来あるべき画像（図９（ｃ）参照）に対して合成画像の一方の上下が逆になってしまい、意図しないものが出力される結果となる。図１０は、この様な場合の画像合成の説明図であり、通常の入力原稿画像（ｂ）にフォーマット原稿画像（ａ）を合成したときに、フォーマット画像が上下逆になった合成画像（ｃ）を画像形成出力結果となることを示している。これは、ＡＤＦ、圧板の各読み取り時に、それぞれの原稿の上下方向を副走査方向に一致させ、上下方向端部で位置決めして、原稿をセットすると、ＡＤＦ時には原稿台２からＡＤＦ機構によって給送される原稿は反転してコンタクトガラス６上に載置されて、圧板時に対し上下逆になってしまうことによるものである。
そこで、本実施形態では、ＡＤＦ、圧板の各読取り動作により読取った画像に基づいて生成される画像同士を相対的に１８０度像回転させる手段を備えることにより、この問題を解決するものである。
【００２４】
図１１は、本実施形態のフォーマット合成画像出力を可能とする処理手順を含むフローチャートを示す。
なお、この処理手順についても、実施形態１と同様に、操作部３０のモード設定画面（図３の編集キー３１０に対する入力操作など）でフォーマット合成画像出力がユーザにより指示されたときに、上記デジタル複写機の制御部（メインコントローラ２０及び画像処理ユニット４９）において、例えば、制御部のコンピュータに搭載させたこの処理手順を実行するためのプログラムを起動することにより実施し得る。
図１１のフローチャートは、実施形態１として示したフォーマット合成画像出力の処理フロー（図８）に１８０度の像回転処理を行う手順を追加した点の違いはあるが、処理フローに基本的な違いはない。即ち、追加した処理手順であるステップＳ２０５以外は、同じ手順を行う。従って、この追加した処理手順以外の処理フローについては、上記した「実施形態１」の説明を参照することとし、ここでは記載を省略する。
合成すべき画像に対する１８０度の像回転処理を必要とするのは、ＡＤＦ、圧板併用の動作モードによる場合であるから、この動作モードの手順の一部で画像メモリコントローラ６５の画像合成部１０２で１８０度の像回転処理を行う。像回転は相対的であればよいので、フォーマット原稿、通常入力原稿のいずれの読取り画像に対して適用してもよいが、本実施形態では、フォーマット原稿画像に対して１８０度の像回転処理を行って、入力原稿画像との合成処理に用いるデータを生成する。
図１１のフローチャートでは、ＡＤＦ、圧板併用の動作モードであることを確認し（Ｓ２０２−ＹＥＳ）、圧板上にある原稿画像の読み取り処理を行い、フォーマット原稿画像として画像メモリ６６に記憶する（Ｓ２０３）。その後、ＡＤＦの入力原稿の読み取り処理を行う（Ｓ２０４）と同時に、記憶しておいたフォーマット原稿画像に対する１８０度の像回転処理を行い（Ｓ２０５）、フォーマット合成処理（Ｓ２０６）に移行する。
この処理フロー（図１１）に示すように、フォーマット原稿の読取り画像に対して像回転処理を適用する場合に、回転処理後のフォーマット原稿データを一時的に記憶部に保持しておくようにし、複数の入力原稿画像に対応して合成画像出力処理を行うことができるようにすることが可能である。このような処理方法を採れば、複数の入力原稿画像に対して画像合成を行う度に、像回転処理を行う必要がなく処理を簡略化することが可能である。
【００２５】
「実施形態３」
本実施形態は、上記「実施形態２」のフォーマット合成画像出力処理における改良に係わる。
上記「実施形態２」では、ＡＤＦ、圧板の各読取り動作により読取った画像に基づいて生成される画像同士を相対的に１８０度像回転させ、合成画像に上下の逆転が生じることを回避するとしているが、１８０度像回転を適用する場合の条件として、フォーマット原稿、通常入力原稿の双方を圧板のみで読み取り処理を行う動作を行った後に、ＡＤＦによる通常入力原稿を追加するといった条件で動作を行うことは考慮していない。
そこで、本実施形態では、ＡＤＦによる通常入力原稿を追加する動作条件による場合にも、合成画像に上下の逆転が生じることを回避するための１８０度像回転を適用することにより、フォーマット合成画像出力処理における改良を図るものである。
図１２は、本実施形態のフォーマット合成画像出力を可能とする処理手順を含むフローチャートを示す。
なお、この処理手順についても、実施形態１と同様に、操作部３０のモード設定画面（図３の編集キー３１０に対する入力操作など）でフォーマット合成画像出力がユーザにより指示されたときに、上記デジタル複写機の制御部（メインコントローラ２０及び画像処理ユニット４９）において、例えば、制御部のコンピュータに搭載させたこの処理手順を実行するためのプログラムを起動することにより実施し得る。
【００２６】
図１２のフローチャートは、実施形態２に示したフォーマット合成画像出力の処理フロー（図１１）に、ＡＤＦによる通常入力原稿を追加する動作条件で合成処理を行うための手順を追加した点の違いはあるが、処理フローに基本的な違いはない。即ち、フォーマット原稿、通常入力原稿の双方を圧板のみで読み取り処理を行う動作を行った後に、追加した処理手順であるステップＳ３１４〜３１６のＡＤＦ読み取りとその読み取り画像に対する１８０度の像回転処理を行う以外は、同じ手順を行う。従って、この実施形態で追加した処理手順以外の処理フローについては、上記した「実施形態２」の説明を参照することとし、ここでは記載を省略する。
像回転は相対的であればよいので、フォーマット原稿、通常入力原稿のいずれの読取り画像に対して適用してもよいが、フォーマット原稿を圧板で読み取った後に、途中からＡＤＦで読み取った通常原稿画像を追加するので、本実施形態では、追加した処理手順で合成すべき画像に対する１８０度の像回転処理をＡＤＦで読み取った追加入力原稿画像に対して適用する。
図１２のフローチャートでは、圧板のみの動作でフォーマット原稿、通常原稿で読み取り処理による入力を行い（Ｓ３１１〜Ｓ３１３）、その後、ＡＤＦに追加原稿があるか否かをチェックする（Ｓ３１４）。
ＡＤＦに追加原稿があることを確認した場合には、ＡＤＦの入力原稿画像の読み取り処理を行い、入力原稿画像として画像メモリ６６に記憶する（Ｓ３１５）。その後、記憶しておいた入力原稿画像に対する１８０度の像回転処理を行い（Ｓ３１６）、フォーマット合成処理（Ｓ３０６）に移行する。
【００２７】
「実施形態４」
本実施形態の画像合成機能は、スキャナ入力による原稿画像に基づいて生成した繰り返し画像を用いて合成画像を作成・出力する機能である。
また、合成すべき背景パターンをスキャナ読み取りにより入力する場合に、従来では、パターン画像全体を原稿として用意することを前提とし、例えば、会社内で作成する印刷物の全てに会社のロゴ等、固有の名称や図柄などの繰り返しパターンを用いるような場合にも、合成画像を作成する度に繰り返しパターン画像の原稿を予め用意しなければならない。この繰り返しパターン画像原稿を用意する場合に、複写機の編集機能の一つである“イメージリピート”として、原稿画像の繰り返しパターンを一枚の画像に編集して、コピー出力する機能があり、原稿の作成に利用することが可能であるが、背景パターン原稿は、その後不用になってしまい、このような操作を行うユーザの手間を考えると、無駄が多過ぎる。
そこで、本実施形態では、原稿として、繰り返されるパターン単位、即ち単一の基本パターンのみを用意するだけで、繰り返しパターンを予め用意することなく目的とする合成画像を作成・出力することを可能とするものである。
図１３は、この実施形態の画像合成機能の説明図であり、ここでは、通常の入力原稿画像（ｃ）に合成するフォーマット原稿画像（ｂ）を生成する手順として、基本フォーマット原稿画像（ａ）をスキャナ入力画像とし、イメージリピート処理により基本フォーマット原稿画像（ａ）を単位として繰り返しパターンを生成するという手順をとり、生成された繰り返しパターン画像を入力原稿画像に合成することにより、合成画像（ｄ）を画像形成出力結果として得ることを示している。なお、繰り返しパターンを持つフォーマット原稿画像画像を生成するためのパターン（基本フォーマット）原稿画像や、入力原稿画像を下記の実施フローに従ってスキャナ入力するが、それぞれの原稿画像をスキャナ入力する場合には、基本的に圧板、ＡＤＦ入力を任意に用いることが可能である。
【００２８】
図１４は、本実施形態のフォーマット合成画像出力を可能とする処理手順を含むフローチャートを示す。
なお、この処理手順は、操作部３０のユーザ設定画面（図３の編集キー３１０に対する入力操作など）でフォーマット合成画像出力が指示されたときに、上記デジタル複写機の制御部（メインコントローラ２０及び画像処理ユニット４９）において、例えば、制御部のコンピュータに搭載させたこの処理手順を実行するためのプログラムを起動することにより実施し得る。
図１４のフローチャートに従って、処理の手順を説明すると、このルーチンは、ユーザ操作によってフォーマット合成画像の出力要求があった時にスタートし、先ず、読み取りユニット５０により基本フォーマット原稿、通常原稿それぞれの画像の読み取り処理を行ない、双方の原稿画像を記憶部に保持する（Ｓ４０１）。
次に、本実施形態では、フォーマット原稿画像を生成する際に、イメージリピート処理を用いるか、イメージリピート処理を用いない通常のフォーマット画像入力によるかをユーザの選択により指定するようにしているので、操作部３０の液晶ディスプレイの表示画面をフォーマット出力画面に切り替え（Ｓ４０２）、このフォーマット出力画面上でキー操作により条件が指定され、それに応じた処理条件を設定する（Ｓ４０３）。
【００２９】
このフォーマット出力画面は、読み取った基本フォーマット原稿画像に対するイメージリピート処理における変倍率の指定等からなる設定画面である。ここで、変倍率が「１００％」の場合にイメージリピート処理を用いない設定、或いは「３０％」とすることにより図１３のフォーマット原稿画像（ｂ）に示すリピート画像の設定、というようにイメージリピート処理に対する任意の設定を可能とする。
この設定手順Ｓ５０３の最後に、液晶ディスプレイの表示画面で確定キーを操作することにより、イメージリピート処理を可能とするフォーマット原稿画像の設定等を確定し、表示画面を通常画面に戻す。
次に、上記した手順（Ｓ４０３）で確定した設定条件でイメージリピート処理を行なう（Ｓ４０４）。即ち、画像メモリコントローラ６５の画像合成部１０２では、読み取られ記憶部に保持された基本フォーマット原稿画像を設定した変倍率に変倍し、イメージリピート処理を行う。また、生成されたリピート画像をこれ以降、フォーマット原稿画像として扱うことができるように、記憶部に保持しておく。
次いで、イメージリピート処理により生成したフォーマット原稿画像と入力原稿画像のフォーマット合成処理を行い、合成画像（図１３（ｄ）参照）を生成する（Ｓ４０５）。ここで、液晶ディスプレイの表示画面に「プリントキーを押してください」を表示し（Ｓ４０６）、その後、プリントキー３４が押下されたか否かをチェックし（Ｓ４０７）、押下が確認できた時に、フォーマット合成処理によって得られた合成画像を書き込みユニット５７に出力し、フォーマット合成画像を転写紙上に形成させる合成画像出力処理を行い（Ｓ４０８）、この処理フローを終える。
【００３０】
「実施形態５」
本実施形態の画像合成機能は、スキャナ入力による原稿画像に基づいて生成した繰り返し画像を用いて合成画像を作成・出力する機能である。
また、合成すべき背景パターンをスキャナ読み取りにより入力する場合に、従来では、パターン画像全体を原稿として用意することを前提とし、例えば、会社内で作成する印刷物の全てに会社のロゴ等、固有の名称や図柄などの繰り返しパターンを用いるような場合にも、合成画像を作成する度に繰り返しパターン画像の原稿を予め用意しなければならない。この繰り返しパターン画像原稿を用意する場合に、複写機の編集機能の一つである“イメージリピート”として、原稿画像の繰り返しパターンを一枚の画像に編集して、コピー出力する機能があり、原稿の作成に利用することが可能であるが、編集の元にする原稿の一部の画像を繰り返しパターンとして用いることが不可能であるから人手による加工が必要になったり、また作成した背景パターン原稿は、その後不用になってしまい、このような操作を行うユーザの手間を考えると、無駄が多過ぎる。
そこで、本実施形態では、原稿として、繰り返されるパターン単位が一部にでも記された原稿があれば、この原稿のみを用意するだけで、繰り返しパターン原稿を予め用意することなく目的とする合成画像を作成・出力することを可能とするものである。
図１５は、この実施形態の画像合成機能の説明図であり、ここでは、通常の入力原稿画像（ｃ）に合成するフォーマット原稿画像（ｂ）を生成する手順として、元のフォーマット原稿画像（ａ）をスキャナ入力画像とし、イメージリピート処理により元のフォーマット原稿画像（ａ）において指定された部分の画像に基づく繰り返しパターンを生成するという手順をとり、生成された繰り返しパターン画像を入力原稿画像に合成することにより、合成画像（ｄ）を画像形成出力結果として得ることを示している。なお、繰り返しパターンを持つフォーマット原稿画像画像を生成するための元のフォーマット原稿画像や、入力原稿画像を下記の実施フローに従ってスキャナ入力するが、それぞれの原稿画像をスキャナ入力する場合には、基本的に圧板、ＡＤＦ入力を任意に用いることが可能である。
【００３１】
図１６は、本実施形態のフォーマット合成画像出力を可能とする処理手順を含むフローチャートを示す。
なお、この処理手順は、操作部３０のユーザ設定画面（図３の編集キー３１０に対する入力操作など）でフォーマット合成画像出力が指示されたときに、上記デジタル複写機の制御部（メインコントローラ２０及び画像処理ユニット４９）において、例えば、制御部のコンピュータに搭載させたこの処理手順を実行するためのプログラムを起動することにより実施し得る。
図１６のフローチャートに従って、処理の手順を説明すると、このルーチンは、ユーザ操作によってフォーマット合成画像の出力要求があった時にスタートし、先ず、読み取りユニット５０によりフォーマット原稿画像画像を生成するための元になるフォーマット原稿画像、通常原稿それぞれの画像の読み取り処理を行ない、双方の原稿画像を記憶部に保持する（Ｓ５０１）。
次に、本実施形態では、フォーマット原稿画像を生成する際に、イメージリピート処理を用いるか、イメージリピート処理を用いない通常のフォーマット画像入力によるかをユーザの選択により指定するようにしているので、操作部３０の液晶ディスプレイの表示画面をフォーマット出力画面に切り替え（Ｓ５０２）、このフォーマット出力画面上でキー操作により条件が指定され、それに応じた処理条件を設定する（Ｓ５０３）。
【００３２】
このフォーマット出力画面は、読み取ったフォーマット原稿画像に対するイメージリピート処理におけるイメージリピート行う領域の指定等からなる設定画面である。ここで、行う設定は入力された元の画像全面の設定、或いは図１５の例に示すような元のフォーマット原稿画像（ａ）の指定された部分（矩形で囲まれた領域）を対象とする設定、というようにイメージリピート処理に対する任意の設定を可能とする。なお、図１５では等倍の例を示しているが、部分領域に対して変倍処理を付加してもよい。
この設定手順Ｓ５０３の最後に、液晶ディスプレイの表示画面で確定キーを操作することにより、イメージリピート処理を可能とするフォーマット原稿画像の設定等を確定し、表示画面を通常画面に戻す。
次に、上記した手順（Ｓ５０３）で確定した設定条件でイメージリピート処理を行なう（Ｓ５０４）。即ち、画像メモリコントローラ６５の画像合成部１０２では、読み取られ記憶部に保持されたフォーマット原稿画像において設定された領域のイメージリピート処理を行う。また、生成されたリピート画像をこれ以降、フォーマット原稿画像として扱うことができるように、記憶部に保持しておく。
次いで、イメージリピート処理により生成したフォーマット原稿画像と入力原稿画像のフォーマット合成処理を行い、合成画像（図１５（ｄ）参照）を生成する（Ｓ５０５）。ここで、液晶ディスプレイの表示画面に「プリントキーを押してください」を表示し（Ｓ５０６）、その後、プリントキー３４が押下されたか否かをチェックし（Ｓ５０７）、押下が確認できた時に、フォーマット合成処理によって得られた合成画像を書き込みユニット５７に出力し、フォーマット合成画像を転写紙上に形成させる合成画像出力処理を行い（Ｓ５０８）、この処理フローを終える。
【００３３】
【発明の効果】
（１）  請求項１，２の発明に対応する効果
ＡＤＦ、圧板を併用する読取り動作を行わせ、読取った原稿画像同士を画像合成手段により合成させ、合成画像を画像形成用データとして出力する手段を備えるようにしたことにより、フォーマット原稿画像が厚紙等でＡＤＦが使えない（つまり、フォーマット原稿は圧板読取りで入力する）場合においても、入力原稿画像の入力はＡＤＦを使用し、一連の処理手順によってフォーマット合成画像出力処理を実行するすることができるため、従来の圧板のみを使用する動作モードにおける入力原稿画像を１枚１枚セットする作業を不要とし、ユーザの手間を省くことができるとともに、ユーザインターフェースに必要となるデータの処理を簡単化する等の画像合成処理における機能の向上を図ることが可能になる。
また、ＡＤＦ、圧板の各読取り動作により読取った画像に基づいて生成される画像同士を相対的に１８０度回転させる手段を備えるようにしたことにより、ＡＤＦの動作によりコンタクトガラス上に給送される原稿が反転する場合にも、合成画像に上下の逆転が生じるという不具合を回避することが可能になる。
【００３４】
（２）  請求項３の発明に対応する効果
合成すべき原稿の読取り動作を行わせ、読み取った原稿画像の一部又は全部を基に任意の変倍・繰り返し画像処理を施した画像を生成し、生成された繰り返し画像を合成させ、合成画像を画像形成用データとして出力する手段を備えるようにしたことにより、予めイメージリピート（繰り返し画像処理）した状態の原稿画像を用意しておく必要がなく、単一の基本パターンのみ、或いは繰り返しパターン単位を一部に含む原稿のみを用意するだけで、目的とする合成画像を作成・出力することができるので、イメージリピートコピーで原稿を予め作成する場合の紙の無駄や手間を省くことができ、合成に用いるフォーマット原稿画像の作成が容易できる。
【図面の簡単な説明】
【図１】本発明の実施形態としての複写機の全体構成を概略図として示す。
【図２】図１の複写機にユーザが指令入力を行うための操作部を示す。
【図３】図２の操作部における液晶タッチパネルの動作モード設定用の表示画面を示す。
【図４】本発明の実施形態としての複写機のメインコントローラ（ＭＣＵ）を中心とする制御装置の概略ブロック図を示す。
【図５】図４に示す画像処理部（ＩＰＵ）の回路構成を示す概略ブロック図である。
【図６】１ページ分の画像データ及び制御信号について説明するタイムチャートである。
【図７】図５に示すメモリコントローラ・画像メモリ回路部の構成をより詳細に示したブロック図である。
【図８】フォーマット合成画像出力（実施形態１）の処理手順を示すフローチャートである。
【図９】実施形態１のフォーマット画像合成機能の説明図である。
【図１０】フォーマット画像合成機能において起きる可能性がある反転合成画像を説明する図である。
【図１１】フォーマット合成画像出力（実施形態２）の処理手順を示すフローチャートである。
【図１２】フォーマット合成画像出力（実施形態３）の処理手順を示すフローチャートである。
【図１３】変倍率が可変設定されるイメージリピート処理により生成するフォーマット画像による合成画像を説明する図である。
【図１４】フォーマット合成画像出力（実施形態４）の処理手順を示すフローチャートである。
【図１５】画像領域が可変設定されるイメージリピート処理により生成するフォーマット画像による合成画像を説明する図である。
【図１６】フォーマット合成画像出力（実施形態５）の処理手順を示すフローチャートである。
【符号の説明】
１…自動原稿給送装置（ＡＤＦ）、      ２…原稿台、
６…コンタクトガラス、                ７…原稿セット検知センサ、
１５…感光体、                        １７…定着ユニット、
１８…排紙ユニット、                  １９…排紙トレイ、
２０…メインコントローラ（ＭＣＵ）、  ２７…現像ユニット、
３０…操作部、                        ３１…ＬＣＤタッチパネル、
３４…プリント（スタート）キー、    ３１０…編集キー、
４９…画像処理ユニット（ＩＰＵ）、    ５０…読み取りユニット（スキャナ）、
５１…露光ランプ、                    ５４…ＣＣＤイメージセンサ、
５７…書き込みユニット、              ５８…レーザ出力ユニット、
６５…メモリコントローラ（ＭＳＵ）、  ６６…画像メモリ、
６８…ＣＰＵ。
【図１】
2004336410.tif 000003
【図２】
2004336410.tif 000004
【図３】
2004336410.tif 000005
【図４】
2004336410.tif 000006
【図５】
2004336410.tif 000007
【図６】
2004336410.tif 000008
【図７】
2004336410.tif 000009
【図８】
2004336410.tif 000010
【図９】
2004336410.tif 000011
【図１０】
2004336410.tif 000012
【図１１】
2004336410.tif 000013
【図１２】
2004336410.tif 000014
【図１３】
2004336410.tif 000015
【図１４】
2004336410.tif 000016
【図１５】
2004336410.tif 000017
【図１６】
2004336410.tif 000018